(57)【要約】【課題】使用者の意思が反映されている、電子ペーパデバイスの持ち方に対応して表示方向を最適化し、持ち方によって自動的に画像が読み易い縦長表示又は横長表示方向になるように表示制御する機能を有する電子ペーパデバイスを提供する。【解決手段】表示装置本体と、画像を表示する表示部と、前記表示装置本体の外周部に複数個配置されたタッチセンサからなり指との接触を検知する接触検知手段と、検知された前記接触のパターンを分析する接触パターン分析手段と、分析された前記パターンから前記表示部の表示方向を決定する表示方向決定手段とから構成される動作検出手段と、決定された表示方向で前記表示部に前記画像を表示するように制御する表示制御手段と、を備えた表示装置において、前記接触パターン分析手段は、前記パターンとして前記接触検知手段への指の接触位置及び接触順序を分析する。【選択図】図１
2008052062.tif 000002
【特許請求の範囲】
【請求項１】
表示装置本体と、画像を表示する表示部と、前記表示装置本体の外周部に複数個配置されたタッチセンサからなり指との接触を検知する接触検知手段と、検知された前記接触のパターンを分析する接触パターン分析手段と、分析された前記パターンから前記表示部の表示方向を決定する表示方向決定手段とから構成される動作検出手段と、決定された表示方向で前記表示部に前記画像を表示するように制御する表示制御手段と、を備えた表示装置において、
前記接触パターン分析手段は、前記パターンとして前記接触検知手段への指の接触位置及び接触順序を分析することを特徴とする表示装置。
【請求項２】
前記接触パターン分析手段は、前記パターンとして前記接触検知手段への指の接触位置及び接触期間を分析することを特徴とする請求項１記載の表示装置。
【請求項３】
前記接触パターン分析手段は、前記パターンとして前記接触検知手段への指の接触位置、接触順序及び接触期間を分析することを特徴とする請求項１記載の表示装置。
【請求項４】
前記表示制御手段は、表示方向決定手段によって決定された表示方向に応じて、前記画像を変倍して表示するように制御することを特徴とする請求項１乃至３の何れか一項記載の表示装置。
【請求項５】
前記表示装置本体の外周部における前記接触検知手段の設置領域を限定したことにより、前記表示装置本体の全辺にされた接触が検知されることによる誤操作を回避可能としたことを特徴とする請求項１乃至３の何れか一項記載の表示装置。
【請求項６】
表示装置の表示部に画像を表示する方法であって、
指と前記接触検知手段との接触を検知するステップと、
前記接触検知手段への指の接触位置及び接触期間をパターンとして分析するステップと、
分析された前記パターンから前記表示部の表示方向を決定するステップと、
決定された前記表示方向で前記表示部に前記内容を表示するステップと、からなることを特徴とする表示装置の表示方法。
【請求項７】
請求項６記載の表示装置の表示方法を実行するためのプログラム。
【請求項８】
請求項７記載のプログラムが記録されていることを特徴とする記録媒体。
【発明の詳細な説明】
【技術分野】
【０００１】
本発明は、携帯情報装置、とくに、広く言えば、表示装置、あるいは表示デバイスに関するが、柔軟な表示装置を保持する時の指の接触位置に対応して表示装置の表示方向（縦長又は横長表示）を制御する機能を有する表示装置について説明するので、とくに柔軟で手軽に持ち運べる電子ペーパデバイス及びこの電子ペーパデバイスの表示制御方法に関するものである。
【背景技術】
【０００２】
近年、新たなデバイスとして注目されている表示媒体（装置）の１つとして、フレキシブルな表示デバイスがある。これらの表示デバイスの１つとして電子ペーパデバイスがあり、紙に代わる表示媒体として注目され、使い勝手の向上や新たなインターフェースの開発が試みられている。
典型的な、電子ペーパデバイスは、表示層と制御薄膜層が一体化した薄膜ディスプレイ装置であり、表示層の表示方式としては、マイクロカプセル電気泳動方式やツイストボール方式などがあり、その特徴としては、電子写真現像方式を用いた印刷装置に匹敵する高解像度と、表示層でのメモリ性、折り曲げも可能な柔軟性が挙げられている。
使い勝手の面からは、電子ペーパデバイスは、文字通り、紙のように自由に手軽に扱え、固定ディスプレイとは異なり、持ち運びが自由で、持ち方（持つ方向）を変えて上下左右自由な方向に配置できるところに特徴がある。
【０００３】
持ち運びが気楽にできる表示装置としての電子ペーパデバイスは、自由な持ち方ができるため、この持ち方に応じた表示方法を制御する場合には、誤推定を極力少なくして、持ち方を推定する必要がある。このため、従来から、かかる表示方法の制御について幾つかの技術が知られている（例えば、特許文献１乃至４参照）。
最近開発されてきている表示装置としての電子ペーパデバイスなどでは手軽に持つこと（置くこと）、あるいは、持ち変えること（置き換えること）ができるので、電子ペーパデバイスに対して画像を表示する時の上下左右方向は、持ち方によって変更できることが望ましい。
しかしながら、固定ディスプレイ装置に見られるように、電子ペーパデバイス上での表示面に画像を表示する時の上下左右方向は電子ペーパデバイスに対して決められているのが一般的であった。
【０００４】
特許文献１には、使用者の携帯情報端末の保持状態によって画面表示方向を切り換えるという技術が開示されている。これは、小さな携帯情報端末を対象としていて、実施の形態には、保持する位置を限定することで、確実に保持状態を認識できる構成を示している。
特許文献２には、指の動作によって操作指示を与えるインターフェース機能に係わる技術が開示されている。この技術は、片手で保持することが可能な物品の状態を検知し、前記物品の側面に１つ以上の接触を検知するセンサを設け、前記センサの内、接触が検知されたセンサ位置に応じて、前記携帯端末の状態を判断する状態検知方法に関連している。
あるいは、片手で保持することが可能な物品の状態検知方法であって、前記物品に重力方向を検知する重力センサを設け、前記重力センサにより検知された重力方向に応じて、前記物品の状態を検知する状態検知方法に関連している。
また、前記状態検知手段により検知された前記携帯端末の状態に応じて前記表示手段に表示すべき方向を自動的に変更する表示制御手段を具備する携帯端末装置に係る技術も開示されている。
【０００５】
特許文献２は、片手サイズの表示画面を有する携帯端末装置に対象を限定している。このような表示サイズの表示装置では、片手で持った時、必ずしも想定されるような持ち方とはならないのが一般的である。手首の返し（傾け）で簡単に向きを変えることができるからである。
また、片手で保持できるので、多くの面が接触してしまう可能性があるためである。そのため、特許文献２の典型的な実施例としては、標準的に持つ位置を指示するためのガイド溝、あるいは、感触が異なる部位を設けるとしている。
特許文献３は、携帯表示装置に傾斜測定機を具備させ筐体の天地方向に対する傾きによる姿勢変化を検知し、筐体の傾きによる姿勢変化に合わせて、背面液晶表示の表示方向を、使用者にとって「文字の配列方向」が最適となるように表示制御する携帯表示装置が開示されている。
【０００６】
また、別の従来技術として、特許文献４は、装置本体の前面に装備された液晶表示機能付きのタッチパネルの表示方向を、操作し易い状態になるように、変更キーを押下することで表示変更させるという技術を開示している。
このように、キーやボタンなど予め具備したスイッチを押して表示方向を変更するには、使用者は状態を確認して利用を開始するという一連の手続きを必要とするため、迅速に表示方向を変更できないという問題点をもっている。十分手軽なインターフェースを与えているとはいえない。
【特許文献１】特開平１１−１４３６０４号公報
【特許文献２】特開平１０−３０１６９５号公報
【特許文献３】特開２００４−２２６７１５公報
【特許文献４】特開平５−１６０９３８号公報
【発明の開示】
【発明が解決しようとする課題】
【０００７】
しかしながら、本発明で想定している電子ペーパデバイスのような持つ場所や、持ち方の自由度が大きいような場合にあっては、一時的に持っただけの場合もあるため、或る持ち方を一時的に検知したからといって、それで表示方向を決めてしまわない方が良い場合がある。特許文献１は、一時的に検知から使用者の意図を推定する場合の誤推定を防止することを課題としたものではない。
また、特許文献２において持つ位置を限定するというのでは、自由な持ち方を制限してしまうこととなり、自由に手軽に扱えるとはいえず望ましくない。例えば、大きなサイズの電子ペーパについて、持つところを狭く限定してしまうのは望ましくない。
特許文献３は表示制御するというものであるが、筐体の傾きに対応して表示方向を最適化している。持ち運びが気楽にできる電子ペーパデバイスは、自由な持ち方ができるため、持ち方に応じた表示方法を制御する場合には、持ち方を推定する必要がある。従来技術においては、限られた持ち方に限定しており、持ち替える、あるいは、同一の持ち方の状態が保たれているということには着目していなかった。
【０００８】
そこで、本発明の第１の目的は、使用者の意思が反映されている、電子ペーパデバイスの持ち方に対応して表示方向を最適化し、持ち方によって自動的に文書や画像が読み易い縦長表示又は横長表示方向になるように表示制御する機能を有する電子ペーパデバイスを提供することにある。
また、本発明の第２の目的は、接触パターンのバリエーションに応じて表示を制御する電子ペーパデバイスの表示制御方法を提供することにある。
【課題を解決するための手段】
【０００９】
上記の課題を解決するために、画像からなる内容を表示する表示部と、該表示部の周囲に複数個配置されたタッチセンサからなり指との接触を検知する接触検知手段と、検知された前記接触のパターンを分析する接触パターン分析手段と、分析された前記パターンから前記表示部の表示方向を決定する表示方向決定手段とから構成される動作検出手段と、決定された表示方向で前記表示部に前記内容を表示するように制御する表示制御手段と、を備えた表示装置において、前記パターンは、前記接触検知手段への指の接触位置及び接触順序であることを特徴とする。
また、請求項２に記載の発明は、前記パターンは、前記接触検知手段への指の接触位置及び接触期間である請求項１記載の表示装置を特徴とする。
また、請求項３に記載の発明は、前記接触検知手段への指の接触位置、接触順序及び接触期間である請求項１記載の表示装置を特徴とする。
【００１０】
また、請求項４に記載の発明は、前記表示制御手段は、表示方向決定手段によって決定された表示方向に応じて、前記内容を変倍して表示するように制御する請求項１乃至３の何れか一項記載の表示装置を特徴とする。
また、請求項５に記載の発明は、前記表示装置本体の外周部における前記接触検知手段の設置領域を限定したことにより、前記表示装置本体の全辺にされた接触が検知されることによる誤操作を回避可能とした請求項１乃至３の何れか一項記載の表示装置を特徴とする。
【００１１】
また、請求項６に記載の発明は、表示装置の表示部に画像を表示する表示装置の表示方法であって、指と前記接触検知手段との接触を検知するステップと、前記接触検知手段への指の接触位置及び接触期間、前記接触検知手段への指の接触位置、接触順序及び接触期間、又は前記接触検知手段への指の接触位置、接触順序及び接触期間からなる前記接触のパターンを分析するステップと、分析された前記パターンから前記表示部の表示方向を決定するステップと、決定された前記表示方向で前記表示部に前記画像を表示するステップと、からなる表示装置の表示方法を特徴とする。
また、請求項７に記載の発明は、請求項６記載の表示装置の表示方法を実行するためのプログラムを特徴とする。
また、請求項８に記載の発明は、請求項７記載のプログラムが記録されている記録媒体を特徴とする。
【発明の効果】
【００１２】
本発明によれば、表示デバイス（電子ペーパデバイス）を持った時の、持ち方によって画像が読み易い表示方向（縦長又は横長表示方向）になるように、電子ペーパデバイス上での文書や画像の表示方向が自動的に変更できる。
また、簡単に電子ペーパデバイスの持ち方を変えるだけで読み易いように表示方向（左右の表示方向）を自動的に選択して表示する。持つ位置の自由度を確保しつつ、誤推定を防止し、多様な持ち方に適応して確実に表示方向を制御できる。
さらに、本発明によれば、電子デバイス上のテキスト等を読むような場合、接触パターンのバリエーションに応じて表示を制御することができる電子ペーパデバイスの表示制御方法を提供できる。この表示制御方法をコンピュータプログラムに書き込み、電子ペーパデバイスの表示制御方法をコンピュータによる読み取り可能な情報記録媒体に記録しておけば、反復性の高い、迅速かつ正確な処理が可能となる。
【発明を実施するための最良の形態】
【００１３】
以下、図面を参照して、本発明の実施の形態を詳細に説明する。図１は本発明に係る表示装置の第１の実施の形態を示すブロック図である。本発明は、電子ペーパデバイス（表示デバイス）を手に持った時の、持ち方によって自動的に画像が読み易い縦長表示又は横長表示方向になるように表示制御する機能に関連している。
図１に示す本発明の表示装置Ａは、液晶ディスプレイ、電子ペーパデバイス等の表示デバイス１と、この表示デバイス１への表示を制御する表示ドライバ（表示制御手段）３が組み込み可能な構成となっている。
本発明の表示装置Ａは、１つの表示デバイス１からなり、この表示デバイス１は柔軟で持ち運びが可能な電子ペーパデバイスを表しているので、以下の説明では表示装置Ａ、表示デバイスを電子ペーパデバイス１と記載する。
電子ペーパデバイス１には、さらに、これに表示する文書や画像データの記憶を行うデータ保持部ＲＯＭ（元画像ビットマップデータ保持部）１０及び表示のための一時的な記憶を行う表示用ＲＡＭ１１により構成されるメモリ２、移動可能な電子ペーパデバイス１に加えられた指の操作や指の接触位置を検知する動作検出手段６及び全体の動作を制御するＣＰＵ４、さらには、電子ペーパデバイス１を駆動するなど、それらの動作に必要な電力を供給する電源５を有している。
【００１４】
図２は本発明に係る表示装置の第２の実施の形態を示すブロック図である。図２では、図１とは異なり、膨大なページ情報を記憶したメモリ９を外部装置として分離し、表示装置（電子ペーパデバイス１）本体とは無線通信手段（例えば、赤外線、ブルートゥース（Bluetooth）などの通信手段）により送受信機７及び８を介して表示データの通信を行う。
また、電子ペーパデバイス１側装置には、表示を書き換えるためのデータを一時記憶する書き換え用メモリ２ａが設けられている。さらに、膨大なページ情報を記憶したメモリ９を制御するＣＰＵ４ａが加えられている。なお、電源５ａはそれらの動作に必要な電力を供給している。
図２の構成とすることにより、表示するための膨大なページ情報を記憶する記憶装置としてハードディスクなどの大容量記憶デバイスを使用しても、操作者が書類を閲覧するために直接保持する表示部分のサイズを大きくせずに済ませることができる。
とくに、カラー画像をこの表示装置Ａ（電子ペーパデバイス１）で使用する場合には、情報量が増えるので、図１で示した構成では、記憶装置が大きくなるため、表示装置の小型化が困難となるが、図２の構成であれば、そうした問題を回避することができる。
図１及び図２に示した表示装置Ａ（電子ペーパデバイス１）の構成は個々の図でとくに示した構成を除いて図１に示した構成と同じであるので、図１と同一部分に同一符号を付して説明を省略する。
【００１５】
図３は図１の表示装置のメモリの第１の実施の形態の構成を示すブロック図である。第１の実施の形態の構成において、メモリ２は、表示する文書や画像データのビットマップデータを記憶しかつそれらのデータを保存する元画像ビットマップデータ保存部１０、表示のための一時的な記憶を行う表示用ＲＡＭ１１を含んでいる。
図１の表示装置Ａ（電子ペーパデバイス１）の構成と同じ部分には同一符号を付してここでは追加の説明はしない。元画像ビットマップデータ保存部１０と表示用ＲＡＭ１１は、独立に機能する。表示する文書や画像データのオリジナルデータや、その符号化したデータが記憶されていてもかまわない。
元画像ビットマップデータ保存部１０に保存されたビットマップデータの一部又は全部を選択的に表示用ＲＡＭ１１に書き込み、表示デバイス（電子ペーパデバイス）１がこのビットマップデータを読み込んで表示する。
【００１６】
図４は図１の表示装置のメモリの第２の実施の形態の構成を示すブロック図である。第２の実施の形態の構成において、メモリ２には、図３の第１の実施の形態の構成で示した元画像ビットマップデータ保存部１０と表示用ＲＡＭ１１に加えて、表示用ビットマップデータ（横長表示用）保存部１２、表示用ビットマップデータ（縦長表示用）保存部１３を含んでいる。
図１の表示装置Ａ（電子ペーパデバイス１）の構成と同じ部分には同一符号を付して追加の説明はしない。第２の実施の形態の構成においては、動作検出手段６における表示デバイス（電子ペーパデバイス）１に加えられた指の操作や指の接触位置の検出結果によって画像の表示方法として横長表示あるいは縦長表示かどちらかを選択する。
次に、表示用ビットマップデータが予め保存してある、表示用ビットマップデータ（横長表示用）保存部１２、又は表示用ビットマップデータ（縦長表示用）保存部１３のどちらかを選択して、これらの保存部１２又は１３に保存された表示用ビットマップデータを表示用ＲＡＭ３２に書き込み、電子ペーパデバイス１がこのビットマップデータを読み込んで表示する。
【００１７】
図５は表示装置の動作検知手段の構成の実施の形態を示すブロック図である。図６は表示デバイス、典型的には、電子ペーパデバイス１の表示領域を示す概観図である。図７は指の接触位置や操作を検知する表示デバイス本体の外周部に配置した複数のタッチセンサを含んでいる本発明の典型的な表示デバイスの構成を示す概観図である。
図５において、図１の表示装置Ａ（電子ペーパデバイス１）の基本構成と同じ部分には同一符号を付して必要以外の説明の繰り返しはしない。図６に示すように、表示デバイス（電子ペーパデバイス）１は表示領域（表示部）１８と指接触検知領域１９を含んでいる。
図５に示すように、動作検出手段６には、接触検知部（接触検知手段）１４、接触パターン分析部（接触パターン分析手段）１５、接触パターン保存部１６、表示方向決定部（表示方向決定手段）１７が含まれている。接触検知部１４は、図７に示すように、タッチセンサ２０によって指の接触位置や操作を自動的に感知する。
【００１８】
接触パターン分析部１５では、接触についての有効／無効が判断される。タッチセンサ２０を表示デバイス（電子ペーパデバイス）１本体の外周部に広く配置することで、広い範囲での指の接触を検知する接触検知手段となり、自由な持ち方を許容しているが、一方、これによって誤った誤接触が起こる可能性を除去する接触の有効／無効を判断する判断手段をも構成している。
指の接触であるかどうかの判断をする判断手段を有することで、無効な接触を避けている。接触パターン分析部１５における、指の接触であるかどうかの判別は、次のような判断原理に基づいて判断する。
すなわち、１）指の接触領域（面積）は限定されるため、広い範囲で接触しているような場合は、指の接触であるとは判断しない。２）３箇所以上離れた領域で接触することはないので、２つの領域（位置）が指の位置であると推定する。接触位置が分散しているような場合は、指の接触とは判断しない。
接触パターン分析部１５では、指の領域を識別し、指の位置を特定する。有効な指の接触であると判断できた指の位置を特定している。表示方向決定部１７では、接触パターン分析部１５により得られた指の接触位置に基づいて表示方向を決定する。指の接触位置に基づき表示方向を決定する方法は、前述した通りである。
接触パターン保存部１６は、指の接触パターンの時間変化を記録する。指の接触パターンの時間変化を記録しておくことで、指の持ち替えなどにより指の位置の変化が少ない場合は、接触変化として検知しない。
【００１９】
図６に示す、表示デバイス、典型的には、電子ペーパデバイス１において、図中の電子ペーパデバイス１上の点線の内側領域は、電子ペーパデバイス１上の表示領域１８を表している。電子ペーパデバイス１の表示ドライバ３（図５）は、表示領域１８を検知し、表示領域以外には書き込みを行わない。
表示領域１８の範囲は自動的に変更することもできる。例えば、指で持っている領域を検知して、指で隠れる領域は、非表示領域とすることもできる。指で隠された領域を避けて表示することによって読み易く制御することができる。
一方、図中の電子ペーパデバイス１上のハッチした領域は、電子ペーパデバイス１上で指の接触位置が検知できる指接触検知領域１９を表している。指の接触位置が検知できる指接触検知領域１９は、表示デバイス１本体（電子ペーパデバイス）の外周部とする。
このように、本発明では、電子ペーパデバイス１上での両手の指の接触位置を検知する検知可能な領域が限定されている。電子ペーパデバイス１の全ての片で指接触が感知されると誤操作の可能性がでてくる。そこで、指接触の検知可能な領域の範囲を限定することで、電子ペーパデバイス１の指操作における接触誤操作を防止することができる。
【００２０】
動作検出手段６は、電子ペーパデバイス１の指接触検知領域１９に加えられた指の接触位置や操作を検出する。典型的には、図７に示すような、電子ペーパデバイス１本体の外周部に配置した複数のタッチセンサ２０を用いて検知する。図７には、本発明の典型的な表示デバイス（電子ペーパデバイス）の構成例を示している。
電子ペーパデバイス１本体の外周部に複数のタッチセンサ２０を持ち、使用者がタッチセンサ２０に触れることによって、触れている位置を検知し、この検知結果が電子ペーパデバイス１の表示領域１８に表示される。複数のタッチセンサ２０は、例えば、１０ｍｍ角にブロック化された、タッチセンサ・アレイでもよい。
もちろん、１０ｍｍ角に限定する必要はなく、個々のセンサが細かければ、形状をより正確に捉えることができるし、より粗ければ全体構成を簡略化できるので、必要に応じて適当な大きさを選べばよい。
また、タッチセンサ２０の代わりに、圧力センサ、重量センサ、光センサなどを用いても良い。また、トレイに載せるものが、熱を持っているものである場合には、温度センサや赤外線センサなどを用いてもよい。また、電子ペーパデバイス１には、これを駆動するなど、それらの動作に必要な電力を供給する電源５を起動するための電源スイッチ２１を備えている。
【００２１】
図３又は図４に示すように、本発明の表示装置（電子ペーパデバイス１）の構成では、メモリ２には表示用ＲＡＭ１１が搭載されており、表示ドライバ３が組み込まれている。また、表示ドライバは、図示しない別のＲＯＭに格納され、図示しない別のＲＡＭに展開されて実行されてもよい。表示ドライバ３は、ＣＰＵ４によって実行される。
図３又は図４で示すように、この電子ペーパデバイス１の表示領域１８（図６）は、透光および非透光により異なる明度を示す画素であるドットをマトリックス状に複数配置されている。
メモリ２には、元画像ビットマップデータ保存部１０にビット単位で表示される元画像データのビットマップデータが保存されていて、そのビットマップデータの一部あるいは全部が選択され、表示用ＲＡＭ１１に書き込まれ、表示ドライバ３によってビット単位で電子ペーパデバイス１の表示領域１８に表示される。
この時、元画像データのうちで書き込み範囲を定めた後、そのビットマップデータを、表示用ＲＡＭ１１の書き込み開始アドレスと書き込み順（書き込み方向）を変えて書き込むことによって表示内容を変更する特徴を有する。
【００２２】
また、電子ペーパデバイス１（図７）には、操作ボタン２２が含まれていて、各種の操作指令をボタンの指令によってすることができる。操作ボタン２２よっては、画像データの読み込みを指示することも含まれている。
このように、本発明の構成では、電子ペーパデバイス１本体の外周部に複数個配置されたタッチセンサ２０を設け、電子ペーパデバイス１を自由に持つことを許容している。そして、接触パターンを分析する接触パターン分析部１５（図５）を設け、誤推定を防止しつつ、多様な持ち方に適応させている。
すなわち、本発明では、指の位置（持ち方）を推定し、推定結果に基づいて表示制御（表示方向あるいはレイアウト表示制御処理）をする場合にあって、推定精度をあげるタッチセンサ２０を備えている。
【００２３】
図８は表示装置の表示制御を説明する概念図である。表示装置（電子ペーパデバイス）を示す図８の（１）では、元画像のビットマップデータがメモリ２上に保存されている。
この状態から、動作検出手段６（図５）の指令に基づいて、書き込み範囲を設定し、表示用ＲＡＭ１１に書き込み、図８の（２）の表示用ＲＡＭ１１に書き込まれたビットマップデータを表示ドライバ３によって電子ペーパデバイス１に書き出し、そして図８の（３）の電子ペーパデバイス１上に表示する。
表示用ＲＡＭ１１のアドレスと電子ペーパデバイス１の表示領域の表示位置とは１対１で対応しているので、表示用ＲＡＭ１１に書き込む方向を変更することで、表示領域の表示方向を簡単に変更できる。
例えば、元画像のビットマップデータの左上を、表示用ＲＡＭ１１の右下に対応させ、元画像のビットマップデータの右下を、表示用ＲＡＭ１１の左上に対応させるように、表示ＲＡＭ１１に書き込むことによって、元画像のビットマップデータの配置とは逆さの方向で表示することができる。
【００２４】
図９は指接触検知領域での検知に基づく表示デバイスにおける表示制御の概観を示す概略図である。次に指の接触位置による表示方向（縦長又は横長表示方向）の制御について説明する。本発明に係る表示装置（電子ペーパデバイス）は、手軽に手で持つことができるものを対象としている。
典型的には、紙のように自由に手軽に扱える電子ペーパデバイスである。電子ペーパデバイス１は、表示層と制御薄膜層が一体化した薄膜ディスプレイ構造を有しており、表示層の方式として、マイクロカプセル電気泳動方式やツイストボール方式などがある。
表示装置である電子ペーパデバイス１は指の接触位置に基づいて表示装置上の表示方向（縦長又は横長表示方向）を制御する機能を備えている。図９の上部に示したのが元画像であり（図９の（１））、任意サイズの典型的な文書画像を示している。もちろん、テキストだけのデータであることもあるし、絵柄画像であってもかまわない。
図９の下側には、表示装置である電子ペーパデバイスの指の位置（手で持った位置）に基づいて、その元画像の縦又は横の表示方向が変更される概観を示している。すなわち、電子ペーパデバイス１を縦長で持つ場合（図９の（１））には、縦長方向に表示し、横長で持つ場合（図９の（３））には、横長方向に表示する。
この例では、元画像のサイズが任意サイズであるため、全てが表示できないようになっているが、自動的に変倍（縮小）され（レイアウト変更され）読み易いように表示変更されていてもかまわない。
【００２５】
図１０は指接触検知領域に基づく表示デバイスにおける表示制御の他の概観を示す概略図である。図９と同様に、図１０の上部に示したのが元画像であり（図１０の（１））、任意サイズの典型的な文書画像を示している。もちろん、テキストだけのデータであることもあるし、絵柄画像であってもかまわない。
図１０の下側には、その元画像が、表示装置である電子ペーパデバイス１の指の位置（手で持った位置）に基づいて、画像の縦又は横の表示方向が変更される概観を示している。
図１０では、元画像のサイズが任意サイズで、全てが表示できないことを解消するために、自動的に変倍（縮小）され（レイアウト変更され）、読み易いように表示変更されていている。すなわち、電子ペーパデバイス１を縦長で持つ場合には、縦長方向に表示し（図１０の（２））、横長で持つ場合には、横長方向に表示する（図１０の（３））。
【００２６】
図１１は指接触の位置に基づく表示方向（縦長又は横長表示方向）制御に係る表示装置の処理フローの概略を示すフローチャートである。指の接触を検知していて、指が接触している辺に変化があった時に、表示方向（縦長又は横長表示方向）を変更する。
先ず、処理フローを開始し（Ｓ１）、初期設定を行う（Ｓ２）。この場合、表示装置（電子ペーパデバイス）１（図７）の電源スイッチ２１を入れることによって、図１〜図４の電源５によって装置全体の起動がかかる。
次に基本操作制御において、ローカル操作入力を待ち（Ｓ３）、操作ボタン入力有りかどうかを判断する（Ｓ４）。操作ボタン入力有りの場合は、操作ボタンにより表示指令を行なうかどうかを判断し（Ｓ５）、表示指令を行なう場合には、表示内容を指定し、読み込みを行なう（Ｓ６）。
次に、操作ボタン２２による初期化指令かどうかを判断し（Ｓ７）、初期化指令でないならば、操作ボタン２２によるその他の指令かどうかを判断し（Ｓ８）、その他の指令ならば、その他の操作を行ない（Ｓ９）、接触パターンの分析を行なう（Ｓ１０）。
また、必要ならば、表示制御（縦又は横方向変更も含む）を行ない（Ｓ１１）、ローカル操作入力待ち（Ｓ３）へ戻る。ステップ（Ｓ４）で操作ボタン入力無しの場合はステップ（Ｓ１０）へ、ステップ（Ｓ６）で表示内容を指定し、読み込んだならば、ステップ（Ｓ１０）へ、そしてステップ（Ｓ９）でその他の操作を行なった場合もステップ（Ｓ１０）へ移行する。ステップ（Ｓ７）で操作ボタン２２により初期化指令が行なわれると、ステップ（Ｓ２）へ戻って初期設定を行う。
【００２７】
操作ボタン２２の中には、画像データを読み込み表示する表示指令が含まれていて、操作ボタン２２の指令を識別し、操作ボタン２２に対応した操作指令を実行する。操作ボタン２２には、全体を初期状態にする初期化指令、表示を消してしまう操作指令、あるいは、表示解像度を変更する操作指令があってもかまわない。
表示指令があった場合には、図１〜図４のメモリ２に画像データを読み込んで、表示解像度に合ったビットマップデータを生成し、メモリ２上の元画像ビットマップデータ保存部１０に保存する。
先に説明したように、横長用又は縦長用、夫々の表示領域を定め、予め横長用又は縦長用、夫々のビットマップデータを表示用ビットマップデータ保存部（横長表示用）１１及び表示用ビットマップデータ保存部（縦長表示用）１２に保存しておいてもかまわない。
指操作に基づく表示制御の場合において、接触パターンの分析を行ない（Ｓ１０）、必要ならば、表示制御（縦又は横方向変更を含む）を行ない（Ｓ１１）、前述したように、表示方向を決め、元画像ビットマップデータ保存部１０に保存されたビットマップデータの範囲を選択して、表示ＲＡＭ１１に書き込み表示する（Ｓ１２）。その後、ローカル操作入力待ち（Ｓ３）へ戻る。表示範囲の決定は、表示デバイス１のサイズに対して、表示可能な範囲を限定する。
このように、接触パターンである指の接触位置と指の接触順序によって表示制御する。指の接触位置の接触パターンには、指が接触している位置関係情報だけでなく、指接触の履歴も含んでいる。
【００２８】
本発明は、自由に手で持って手軽に扱える表示装置である電子ペーパデバイス１の表示方法を、持ち方に応じて自動的に制御しているが、一般的に、持ち方は色々あり、必ずしも想定している指の接触とは限らないので、持ち方を自動的に推定する場合に、使用者の意図の推定精度をいかに高めるかが課題となる。
本発明の構成では、前述したように、図７に示すような、電子ペーパデバイス１本体の外周部に複数個配置されたタッチセンサ２０を設け、電子ペーパデバイス１を自由に持つことを許容している。そして、指の接触パターンを分析する接触パターン分析部１５を設け、誤推定を防止しながら、多様な持ち方に適応させて表示制御している。
本発明の別の実施の形態においては、指の位置（持ち方）を推定し、推定結果に基づいて表示制御（表示方向あるいはレイアウト表示制御処理）するように構成している。
【００２９】
図１２は指操作に基づく表示制御に係る表示装置の処理フローの概略を示すフローチャートである。図１３は指接触パターン、接触辺及び操作内容を示す接触パターン対応表である。指接触パターンの分析は以下のフローのように実施する。
図１１及び図１２を参照して、先ず、指操作に基づく表示制御を開始する。この指操作に基づく表示制御において、指の接触の有無を検知する（Ｓ１３）。ここで、指接触なしならば、図１１のステップ（Ｓ２）へ移行する。指接触有りならば、指位置を検知する（Ｓ１４）。
次に、接触パターンをチェックし接触辺を推定する（Ｓ１５）。次いで、表示方向の変化の有無を判別する（Ｓ１６）。表示方向の変化必要なし（表示方向変更が必要でない時）の時は、図１１のステップ（Ｓ２）へ移行する。表示方向の変化必要有り（表示方向変更が必要である時）の時は、接触パターン保存部１６（図５）へ記録し（Ｓ１７）、表示制御（縦又は横方向変更を含む）を行ない（Ｓ１８）、終了し、図１１のステップ（Ｓ２）へ移行する。
【００３０】
上記についてさらに述べれば、先ず、指接触を検知して、接触があった場合は、指位置を検知して、接触パターンを推定する。先に述べた複数のタッチセンサ２０の接触信号を検査することで、そのタッチセンサ２０の接触信号が検知された位置が、指が接触した可能性のある位置であるとみなす。
この時、連続した接触領域を１つの接触領域であると判断する。連続しているタッチセンサ２０の面積が、指の面積であるところを、例えば、タッチセンサ２０が１つ以上３つまでの連続領域に接触されている個所に限定する。それが、電子ペーパデバイス１の４辺のうちどこに接触しているかを推定する。
第１に、１箇所の辺で接触している時は、その辺に対する指接触があると推定する。第２に、２箇所の辺で接触している時で向かい合わせである時は、その２辺での接触であると推定する。第３に、２箇所の辺で接触している時で向かい合わせでない時は、誤推定であるとして、記録された指の接触パターンの時間変化を調べ、直前での辺での接触が続いていると推定する。
第４に、３箇所異なる辺での接触である時は、向かい合わせである接触辺であることと推定する。第５に、４箇所の全部の辺で接触である時は、誤推定であるとして、記録された指の接触パターンの時間変化を調べ、直前での辺での接触が続いていると推定する。
【００３１】
続いて、記録された指の接触パターンの時間変化を調べ、推定された接触辺が、直前より異なる場合は、接触パターン保存部１６（図５）へ記録して、表示方向の制御をする。向かい合わせの辺での接触辺の変化でない場合に、表示方向を変化させる。
本発明では、電子ペーパデバイス１の４辺のうちどこを持っているかを推定し、前述したように、持っている辺が左右方向となり、異なる辺が上下方向となるような表示方向で表示する。
この実施の形態では、表示の天地方向が逆さになる場合もあるが、左手で持つことを予め仮定して、表示の左側が左手にくるように表示する。もちろん、持ち変えれば、簡単に天地方向の逆さを解除できる。また、重力センサを用いて表示方向の推定精度を高めてもよい。
さて、表示方向決定部１７（図５）では、前述したように、接触パターン保存部１６に記録された指接触パターンを分析して表示方向を制御する。その場合に、判定のためのテーブル（表）を用意しておいて、予め登録されたテーブルを用いて判定することもできる。
接触パターンテーブルには、図１３に示すように、左側に接触パタ−ンが記され、右側にはこのようなパターンの接触があった場合の表示動作指令内容が記されている。接触パタ−ンは、接触辺が記され、対応した表示処理の内容が記されている。
【００３２】
図１３では、１０通りの接触パターンを示している。１〜６のパターンは表示方向を決めて変更する。７〜１０のパターンは、表示方向を変更しない。それ以外の接触パターンは誤認識であるとして、やはり表示方向を変更しないように表示制御する。
この図１３のような接触パターンテーブルは、変更することができ、使い方によって、処理内容を変更してもかまわない。表示方向制御以外の指令であってもかまわない。
【００３３】
図１４は指の接触順序あるいは接触時間に基づく表示制御に係る表示装置の処理フローの概略を示すフローチャートである。本発明は、指の接触パターンを分析し、指の位置（持ち方）を推定する手段（図５の接触パターン分析部１５）を設け、使用者の意図の誤推定を防止しつつ、多様な持ち方に適応させて表示制御（表示方向あるいはレイアウト表示制御処理）可能にしている。
表示装置である電子ペーパデバイスの持ち方の中には、片手ではなく、両手で持つ場合、持つ順番や持っている時間など、さまざまなバリエーションがあり、これらのバリエーション、指の接触順序あるいは接触時間に対応した表示制御ができることが望ましい。
指操作に基づいて表示制御する場合に、指位置（指接触位置）だけでなく、指接触順序や指接触期間によって、表示制御をすることもできる。表示制御は、典型的には、前述した、縦長又は横長表示に係る制御であるが、表示方向（縦長又は横長表示方向）の制御にはレイアウトの変更（変倍）を伴っていてもよい。
指接触の順序は、指の接触を検知した場合に、その接触があった位置を順次記録しておくことで実現できる。指の接触順序によっても表示制御できる。例えば、両指の接触の場合に、最初の両指の接触で、表示方向（縦長又は横長表示方向）を制御し、次の接触によって縮小表示し、次の接触でさらに縮小表示するような場合である。
【００３４】
図１５は指の接触の検知、表示方向（縦長横長表示方向）の制御、縮小表示制御の流れを示す概略図である。指接触の順序を検知に対応して表示制御することで、表示範囲を自由に調整できる。
一般に表示方向を変更する場合には、図１５の（１）の元画像は右上（２）に示すように、一部表示ができない元画像部分ができるため、図１５の（３）に示すように縮小変倍することにより表示範囲を広げるのが有効である。
同様に、指接触の期間も指の接触を検知した場合に、その接触があった位置をその時刻とともに順次記録しておくことで実現できる。指接触の期間とは、接触を継続している、又は、経過時間接触がない経過時間であり、或る時間間隔ごとに接触を検査して、接触が始まった時刻（接触していなかった指が接触された時刻）と、接触が終わった時刻（接触していた指が離された時刻）を記録することによって検知することができる。
この場合は、表示装置である電子ペーパデバイスにタイマ（図示せず）を備えて、接触を検知した時に参照する必要がある。指の接触順序と指の接触期間によって表示制御することができる。
【００３５】
また、指位置（指接触位置）、指接触順序、指接触期間の全てを検知して、接触パターンを指位置（指接触位置）、指接触期間として、又は指位置（指接触位置）、指接触順序、指接触期間として表示制御することもできる。
例えば、図１５の例で、両指の接触の場合に、最初の両指の接触で、表示方向（縦長又は横長表示方向）を制御する。それからの経過時間が予め定めた時間内で行われたものであれば、次の接触によって縮小表示する。
それからの経過時間が予め定めた時間内で行われたものであれば、次の接触でさらに縮小表示するような場合である。また、接触がない経過時間が長く掛かる場合は、元の倍率の表示（デフォルトで設定する倍率の表示）に戻すような場合である。
【００３６】
図１４のフローチャートを参照して説明すると、図１１のフローチャートにおける場合と同様に、先ず、処理フローを開始し（Ｓ１）、初期設定を行う（Ｓ２）。この場合、電子ペーパデバイス（図７）の電源スイッチ２１を入れることによって、図１〜図４の電源５によって装置全体の起動がかかる。
次に基本操作制御において、ローカル操作入力を待ち（Ｓ３）、操作ボタン入力有りかどうかを判断する（Ｓ４）。操作ボタン入力有りの場合は、操作ボタンにより表示指令を行ない（Ｓ５）、表示内容を指定し、読み込みを行なう（Ｓ６）。次に、操作ボタン２２により初期化指令を行ない（Ｓ７）、操作ボタン２２によりその他の指令を行ない（Ｓ８）、さらに、その他の操作を行なう（Ｓ９）。
【００３７】
指操作に基づく表示制御において、指位置を検知し（Ｓ１９）、指接触位置を分析し（Ｓ２０）、指接触順序を検知し（Ｓ２１）、指接触順序を分析し（Ｓ２２）、指接触期間を検知し（Ｓ２３）、指接触期間を分析する（Ｓ２４）。次いで、表示変更条件の変更有無を判別し（Ｓ２５）、表示変更が必要であるならば、表示変更を行なう（Ｓ２６）。表示変更が必要でないならば、ステップ（Ｓ３）へ移行する。
指操作に基づく表示制御においては、指の接触パターンを分析する手段（図５の接触パターン分析部１５）を設け、指接触の変化の履歴を接触パターン保存部１６に保存しておいて、指接触位置だけでなく、指接触順序や指接触期間を分析する。
例えば、指接触の順序を分析することで、持ち変える時は、接触位置が左右で置き換わる変化を検知して、電子ペーパデバイスの方向を変更したことを検知して、表示方向を置き換える。
また、指接触の期間も検知することで、指の接触が全くなかった時間が、予め定められた時間以上経過している、例えば、１０分以上経過していることを後述する図１８のステップ（Ｓ４２）の表示変更条件の判別にて判別し、必要であれば対応した表示制御をすることもできる。
例えば、表示を止めたり、表示をデフォルトに戻したり、あるいは、電源を自動的にオフにする等の省エネルギ動作に入るというような表示制御も容易に実現できる。
【００３８】
ところで、以上の実施の形態においては、縦又は横方向に表示される場合に限定して説明したが、斜め方向へ表示する機能を具備していてもかまわない。電子ペーパデバイスは、上述したように、画素単位で表示制御するので、斜め方向への表示も可能である。例えば、動作検出手段６（図５）が、両指が斜めに接触していることを検知するならば、そのような場合には斜め方向に表示を変えればよい。
また、電子ペーパデバイス１が両面に表示できる場合にあっては、表裏の表示の切り換えをすることもできる。例えば、図７に示した片面に表示できる電子ペーパデバイスを２枚用意して、表示面が互いに表になるように重ね合わせることで、両面表示用の電子ペーパデバイス（表示デバイス）が実現できる。
その場合は、両面に接触センサを備え、前述のように指の位置によって方向を検知することによって、表示の方向を制御するとともに、裏側と表側の指の接触面積を調べ、複数の指の接触による広い方が裏面であり、狭い方が表面であると判断し、表面に表示するように表示制御することもできる。
接触面積の比較は、指が接触しているタッチセンサ２０の数を比較してその数の大きい方を接触面積が大きいと判定する。また、識別によって得られた裏の表示面には表示をしないことによって、省エネルギを実現することができる。
【００３９】
図１６は表示データが地図である場合の指の接触の検知、表示方向（縦長又は横長表示方向）の制御、縮小表示制御の流れを示す概略図である。図１６は、表示データが地図のような場合でも、表示範囲の変更が容易にできるので、有効な実施の形態の１つとなることを示している。
指接触の順序を検知に対応して表示制御することで、表示範囲を自由に調整できる。一般に表示方向を変更する場合には、図１６の（１）の元画像は下の図１６（２）に示すように縦長の表示方向か又は図１６の（３）に示すように横長表示方向の制御に伴って行うかどうかの指令を簡単に伝えることができる。
【００４０】
図１７は表示装置を両手で持って操作する場合について示す概略図である。ところで、これまでの実施の形態においては、主として片手で持つ場合を説明していたが、図１７に示すように、両手で持つ場合であっても同様に実現できる。
両指の接触を検知したときに表示変更を施す。使用者は、片手で表示デバイスを持ってから、しっかり持ち直す場合があるので、電子ペーパデバイスを持っている方向を確実に検知することができる。
電子ペーパデバイス上での両指の接触位置を検知するための検知手段と、その検知結果に基づき表示する表示する表示制御手段を有するので、使用者は、片手で電子ペーパデバイスを持ってから、しっかり持ち直す場合があるので、片指操作による指示よりも、両指操作による指示の方が確実に指示できる。
両指を使用することによって、複雑な指示を与えることもできる。例えば、レイアウト変更を、表示方向（縦長横長表示方向）の制御に伴って行うかどうかの指令を簡単に伝えることができる。
【００４１】
図１８は表示装置のレイアウト変更処理の流れを示すフローチャートである。図１８では表示方向（縦長又は横長表示方向）の制御とともにレイアウト制御する場合について説明する。
この実施の形態では、指の接触位置の検知により、持ち方の変更を検知して、表示方向（縦長又は横長表示方向）を検知すると同時に、表示レイアウト（変倍）を変更する。
検知された表示デバイス（電子ペーパデバイス）の指の接触位置によって縦長表示か横長表示かを選択するとともに表示レイアウトを変更して表示する表示制御手段を有している。従って、縦長又は横長でそのままのサイズで表示した場合には、全てのデータが表示できない場合がある。このため、変倍（縮小）を施して表示レイアウトを変更することで広い範囲を読めるようにできる。
この処理フローでは、元画像の表示方向（縦長又は横長表示方向）を変更するだけでなく、変倍されて表示されることで、表示のレイアウト変更がなされている。フロー中に記された、各種長さは、図９の図中に示している。すなわち、元画像の横方向の長さがＬｘ、縦方向の長さがＬｙである。
その内、元画像の表示範囲の横方向長さはｘであり、縦方向長さはｙである。表示の際の、横方向の変倍率がＮｘ、縦方向の変倍率がＮｙであり、表示領域の横方向の長さがＸであり、表示領域の縦方向の長さがＹである。
上記処理フローにおいては、横書き画像であれば、横方向が全て表示されるように変倍することで、縦書き画像であれば、縦方向が全て表示されるように変倍することで、元画像内容の最初の部分全体が表示できるようになっている。この処理フローにおいては、横書きと縦書きで表示方向の制御が異なっていることを示している。
【００４２】
図１９は本発明の他の実施の形態である表示装置における縦書きの表示制御の概観を示す概略図である。表示装置（電子ペーパデバイス）１における縦書きの表示制御の概観を示している図１９の上部（図１９の（１））に示したのが元画像であり、任意サイズの典型的な文書画像を示している。
図１９の（１）の下側には、その元画像が、表示媒体の指の位置（手で持った位置）に基づいて、画像の縦（図１９の（２））、横（図１９の（３））の表示方向が変更される概観を示している。
【００４３】
図２０は縮小されて表示される図１９の他の実施の形態である表示装置における表示制御の概観を示す概略図である。図２０では、元画像が、表示装置（電子ペーパデバイス）１上で自動的に変倍（縮小）され（レイアウト変更され）、読み易いように表示変更される例を示している。
一方、横方向の表示制御の概観は、先に説明したように、図９であり、自動的に変倍（縮小）され（レイアウト変更され）読み易いように表示変更される例は、図１０に示している。縦書きの場合は、右上から、左下方向に表示制御され、横書きの場合は、左上から右下方向に表示制御される。
図１８を参照して、先ず、レイアウト変更を開始する（Ｓ３０）。次いで、画像タイプが横書きであるかどうかを判定して（Ｓ３１）、左上から右下へ記載の横書き画像であるならば、元画像表示範囲の原点（初期、左上座標に）設定（ｘ０、ｙ０）する（Ｓ３２）。
【００４４】
次いで、横書き画像のレイアウト変更へ移行し、元画像表示範囲の横方向長さｘ＝ｆ１（元画像の横方向の長さＬｘ）を判断し（Ｓ３５）、次に、横方向の変倍率Ｎｘ＝表示領域の横方向の長さＸ／元画像表示範囲の横方向長さｘかどうかを判断する（Ｓ３６）。
次いで、縦方向の変倍率Ｎｙ＝ｇ１（横方向の変倍率Ｎｘ）（例えば、縦方向の変倍率Ｎｙ＝横方向の変倍率Ｎｘ）を判断し（Ｓ３７）、最後に、元画像表示範囲の縦方向長さｙ＝表示領域の縦方向の長さＹ／縦方向の変倍率Ｎｙかどうかを判断し（Ｓ３８）、元画像の縦方向は原点ｙ０から長さｙの範囲、横方向は原点ｘ０から長さｘの範囲を元画像表示範囲として縦方向の変倍率Ｎｙ、横方向の変倍率Ｎｘとして、表示し（Ｓ４３）、終了する（Ｓ４４）。
ステップ（Ｓ３１）の判定において横書きでないならば、右上から左下へ記載の縦書き画像であるかどうかを判定し（Ｓ３３）、縦書き画像ならば、元画像表示範囲の原点（初期、右上座標に）を設定して（ｘ０、ｙ０）（Ｓ３４）、縦書き画像のレイアウト変更に移行して、元画像表示範囲の縦方向長さｙ＝ｆ２（元画像の縦方向の長さＬｙ）かどうか、例えば、元画像表示範囲の縦方向長さｙ＝元画像の縦方向の長さＬｙかどうかを判断する（Ｓ３９）。
【００４５】
次に、縦方向の変倍率Ｎｙ＝表示領域の縦方向の長さＹ／元画像表示範囲の縦方向長さｙかどうかを判断し（Ｓ４０）、横方向の変倍率Ｎｘ＝ｇ２（縦方向の変倍率Ｎｙ）かどうか、例えば、例えば、横方向の変倍率Ｎｘ＝縦方向の変倍率Ｎｙ）かどうかを判断する（Ｓ４１）。
最後に、元画像表示範囲の横方向長さｘ＝表示領域の横方向の長さＸ／横方向の変倍率Ｎｘかどうかを判断し（Ｓ４２）、元画像の縦方向は原点ｙ０から長さｙの範囲、横方向は原点ｘ０から長さｘの範囲を元画像表示範囲として縦方向の変倍率Ｎｙ、横方向の変倍率Ｎｘとして、表示し（Ｓ４３）、終了する（Ｓ４４）。
このように、上記の本発明の他の実施の形態では、指の接触位置の検知により、持ち方の変更を検知して、表示レイアウト（変倍）を制御する場合を示した。別の実施の形態として、表示操作用のボタンを備え、この表示操作用のボタンによって表示制御してもかまわない。
例えば、図７に示したように、変倍（縮小拡大表示指令用）用の操作ボタン２２を具備していてもかまわない。それが、押された場合に、上記のようにレイアウトを変更して表示する。縦長横長表示の方向は、そのままである。
なお、本発明は、上述した実施形態のみに限定されたものではない。上述した表示方法をそれぞれプログラム化し、予めＣＤ−ＲＯＭ等の記録媒体に書き込んでおくようにしても本発明の目的が達成されることは言うまでもない。
【図面の簡単な説明】
【００４６】
【図１】本発明に係る表示装置の第１の実施の形態を示すブロック図。
【図２】本発明に係る表示装置の第２の実施の形態を示すブロック図。
【図３】図１の表示装置のメモリの第１の実施の形態の構成を示すブロック図。
【図４】図１の表示装置のメモリの第２の実施の形態の構成を示すブロック図。
【図５】表示装置の動作検知手段の構成の実施の形態を示すブロック図。
【図６】表示デバイス、典型的には、電子ペーパデバイスの表示領域を示す概観図。
【図７】指の接触位置や操作を検知する表示デバイス本体の外周部に配置した複数のタッチセンサを含んでいる本発明の典型的な表示デバイスの構成を示す概観図。
【図８】表示装置の表示制御を説明する概念図。
【図９】指接触検知領域における検知に基づく表示デバイスにおける表示制御の概観を示す概略図。
【図１０】指接触検知領域における検知に基づく表示デバイスにおける表示制御の他の概観を示す概略図。
【図１１】指接触の位置に基づく表示方向（縦長又は横長表示方向）制御に係る表示装置の処理フローの概略を示すフローチャート。
【図１２】指操作に基づく表示制御に係る表示装置の処理フローの概略を示すフローチャート。
【図１３】指接触パターン、接触辺及び操作内容を表で示す接触パターン対応図。
【図１４】指の接触順序あるいは接触時間に基づく表示制御に係る表示装置の処理フローの概略を示すフローチャート。
【図１５】指の接触の検知、表示方向（縦長横長表示方向）の制御、縮小表示制御の流れを示す概略図。
【図１６】表示データが地図である場合の指の接触の検知、表示方向（縦長又は横長表示方向）の制御、縮小表示制御の流れを示す概略図。
【図１７】表示装置を両手で持って操作する場合について示す概略図。
【図１８】表示装置のレイアウト変更処理の流れを示すフローチャート。
【図１９】本発明の他の実施の形態である表示装置における縦書きの表示制御の概観を示す概略図。
【図２０】縮小されて表示される図１９の他の実施の形態である表示装置における表示制御の概観を示す概略図。
【符号の説明】
【００４７】
Ａ  表示装置
１  表示デバイス（表示装置、電子ペーパデバイス）
２  メモリ
３  ドライバ
４  ＣＰＵ
５  電源
６  動作検知手段  
１０  元画像ビットマップデータ保存部
１１  表示用ＲＡＭ
１２  表示用ビットマップデータ（横長表示用）保存部
１３  表示用ビットマップデータ（縦長表示用）保存部
１４  接触検知部
１５  接触パターン分析部
１６  接触パターン保存部
１７  表示方向決定部
１８  表示領域
１９  指接触検知領域
２０  タッチセンサ
２１  電源
２２  操作ボタン
【図１】
2008052062.tif 000003
【図２】
2008052062.tif 000004
【図３】
2008052062.tif 000005
【図４】
2008052062.tif 000006
【図５】
2008052062.tif 000007
【図６】
2008052062.tif 000008
【図７】
2008052062.tif 000009
【図８】
2008052062.tif 000010
【図９】
2008052062.tif 000011
【図１０】
2008052062.tif 000012
【図１１】
2008052062.tif 000013
【図１２】
2008052062.tif 000014
【図１３】
2008052062.tif 000015
【図１４】
2008052062.tif 000016
【図１５】
2008052062.tif 000017
【図１６】
2008052062.tif 000018
【図１７】
2008052062.tif 000019
【図１８】
2008052062.tif 000020
【図１９】
2008052062.tif 000021
【図２０】
2008052062.tif 000022